(57)【特許請求の範囲】
【請求項１】
広巾のウエブを、その長手方向に複数の狭巾ウエブに裁断し、該裁断した狭巾のウエブを両側に分離して各々に配設された各個別の巻取装置にタッチローラを接当させながら巻取るスリッター装置であって、スリッター本体左右の引取フレームに巻取ビームが２点支持車輪で支持されて引取フレームに沿ってウエブの巻取りに応じて移動可能に懸垂保持され、かつ該巻取ビームに巻取ロールを保持する巻取アームが一体的に懸垂されていると共に、前記引取フレームの２点支持車輪の各支持部外側に夫々巻取ビーム中央部の撓みを減ずる方向に荷重をかける両端荷重車輪が設けられていることを特徴とするスリッター装置。
【発明の詳細な説明】
【０００１】
【発明の属する技術分野】
本発明は連続して給送される広幅ウエブをその長手方向に複数条の狭巾ウエブに裁断し、該裁断した狭巾ウエブを交互に前後に分離して前後に各々配設された各個別の巻取装置にタッチローラを接当させながらロール状に巻取るスリッター装置、特に懸垂型のスリッター装置に関するものである。
【０００２】
【従来の技術】
広巾ウエブを複数の狭巾ウエブに裁断して巻取るスリッター装置は現在、広く使用されているが、近年、生産効率を高めるため、広巾ウエブの巾が益々広く、また裁断し、巻替えるにあたって、短時間に自動的に動作することが要求されている。
【０００３】
本出願人の提案に係る特公平７−５３５４７号公報に記載された図１に示すスリッター装置はかかる要求に対応し自動化が完成されたものであり、巻芯Ａ，Ｂを着脱自在に装着する巻取アーム２，２′を引取フレーム１両側にレールを介し移動体３，３′，巻取ビーム４，４′と共に空中移動可能に懸垂する一方、ダンサーローラ６、ガイドローラ７ａ〜７ｅ、スリッター刃８、ガイドローラ７ｆ，７ｇ、両側の巻芯Ａ，Ｂに夫々当接可能なタッチローラ９，９′を前記両側の巻取アーム２，２′の中間に配設し、ガイドローラ７ａ〜７ｅを介し連続して供給される広巾ウエブＷをスリッター刃８で長さ方向に複数の狭巾ウエブＷ′，Ｗ′に切断し、各狭巾ウエブｗ，ｗ′を左右に分割して、前記巻取アーム２，２′に保持された各巻芯Ａ，Ｂに巻き取ると共に、巻太りに応じて、前記巻取アーム２，２′を各タッチローラ９，９′との当接状態を保ちつつ、前記引取フレーム１に沿って摺動可能となした構成として、生産性の高い自動化と、巻取装置を引取フレーム（上部機枠）より懸垂することにより巻取装置の下部空間を有効に活用し得るようになしている。
【０００４】
【発明が解決しようとする課題】
しかし、上記の如きスリッター装置において、近年のウエブの広巾化傾向に対して各巻取り装置を保持する巻取ビームのウエブ横断方向の長さが長くなり、この巻取ビームに前述の構成から巻取装置の重量と、巻取ロールの重量及び巻取ビーム自身の重量がかかることになる。
そのため、このビームを支持する両端部に設けた２点支持構造の支持部が、ウエブの巻取りに応じてウエブの流れ方向に摺動する機能をもちながら、この巻取ビームにかかる全荷重を受けることになり、この巻取ビームには重力による撓みが生じる。
実例的にみれば、通常、ウエブの巾が４〜５ｍ以下であれば巻取ビームの撓み量も少なく、巻取品質に全く問題はないが、６ｍ以上に達すれば巻取ビームの断面形状も大きくすることもできるが、機械幅が大幅に大きくなり、機械の製作コストも増大する。
【０００５】
本発明は上述の如き実状に鑑み、これに対処するべく、巻取ビームの断面形状を大きくすることなく、広巾ウエブに対応する巻取ビームのレールに懸垂する支持手段を見出すことにより、前記重量を受け持つ部分と巻取ビームの重力による撓みを防止する部分を効果的な位置関係で配置し、広巾ウエブに対応する適当な機械の大きさを維持しながら機械製作コストを低減せしめ、近年の顧客の厳しい要求に対応せしめることを目的とするものである。
【０００６】
【課題を解決しようとする手段】
即ち、上記目的に適合する本発明の特徴は、前記広巾のウエブを、その長手方向に複数の狭巾ウエブに裁断し、該裁断した狭巾のウエブを両側に分離して各々に配設された各個別の巻取装置にタッチローラを接当させながら巻取るスリッター装置において、スリッター本体左右の引取フレームに巻取ビームを２点支持車輪で支持して引取フレームに沿ってウエブの巻取りに応じて移動可能に懸垂保持し、かつ該巻取ビームに更に巻取ロールを保持する巻取アームを一体的に懸垂せしめると共に、前記引取フレームの２点支持車輪の各支持部外側に夫々巻取ビーム中央部の撓みを減ずる方向に荷重をかける両端荷重車輪を設けたことにある。
【０００７】
【作用】
上記本発明の構成によれば巻取ビームは２点支持車輪による懸垂支持によって巻取装置の重量，巻取ロールの重量及び巻取ビーム自身の重量が総合的にかかり、そのため巻取ビーム中央部はその重量及び重力により撓みを生じるが、一方、巻取ビームの両端荷重車輪部に外部より逆向きに荷重がかけられることによりビームの中央部に逆の撓み傾向が得られ、これら両者の総合によって全体として巻取ビーム中央部の撓みを減少する。
【０００８】
【発明の実施の形態】
以下、更に添付図面を参照し、本発明の具体的な態様について説明する。
【０００９】
図２は本発明に係る巻取ビーム支持部の１例を示しており、スリッター装置全体については特に図示していないが、連続して給送される広巾ウエブをその長手方向に複数の狭巾ウエブに裁断し、各裁断した狭巾ウエブを交互に前後に分離して各々に配設された各個別の巻取装置にタッチローラを接当させながら巻取ロールとして巻取るスリッター装置の構成は図１に示すと同様であり、また上部機枠、即ち引取りフレーム１にレールを介し移動体３を巻取ビーム４，巻取アーム２と共に空中懸垂移動可能に懸垂保持していることも図１に示す構成と基本的には同様である。
【００１０】
しかして前記図２は上記スリッター装置における本発明の要部をなす部分であり、左右の移動体３に巻取ビーム４が狭巾ウエブを巻取る巻取ロールＲ′を保持する巻取アーム２と共に懸垂保持されて、その両端において支持車輪１１とレール１２により２点支持状態で支持され、引取フレーム１に対し該引取フレームに沿ってウエブの巻太りに応じて移動可能となっている。
【００１１】
この両端荷重車輪は前記引取りフレーム１内側の２点支持車輪に対し巻取ビーム４の中央部を減ずる方向に、即ち、重力側に強制的に荷重をかけるように取り付けられている。
なお、この両端にかける荷重は、これを増減することが可能であり、適宜、巻取ビームに巻取アーム及び適切な荷重をかけ得るようにするのが好適である。
また、上記の２点支持車輪及び両端荷重車輪は市販のリニアレールあるいは直動式ローラタイプ当の使用も可能である。
【００１２】
図３は上記本発明に係る巻取ビームの支持態様について具体的にその撓みの状況を通常の２点支持と対比して示したものであり、図３（イ）（ロ）は通常の支持車輪構造１１，１２による２点支持を示し、図において、巻取ビームを３０ｃｍ角×１ｃｍ厚とし、図中のｌ１＝５０ｃｍ，ｌ２＝６００ｃｍとしたとき、巻取ビーム断面の慣性モーメント（Ｉ）は、Ｉ＝３０４−２８４／１２＝１６２８０ｃｍ４
巻取ビームの１ｃｍ長さ当たりの重量ｗは（但しビームは鉄材とし、比重は０．００７８ｋｇ／ｃｍ３とする。）ｗ＝（３０２−２８２）×０．００７８ｋｇ／ｃｍ３＝０．９ｋｇ／ｃｍ長さ当たり
ヤング率Ｅ＝２．１×１０６ｋｇ／ｃｍ３
従って２点支持の場合の巻取ビーム中心部の撓みは、下記の如くである。
【００１３】
【数式１】
0004409125.tif 000002
【００１４】
一方、図３（ハ）（ニ）に示す本発明に係る両端に荷重をかけた場合には、その撓みは、両端にかける荷重Ｆを６００ｋｇとすると次の通りである。
【００１５】
【数式２】
0004409125.tif 000003
【００１６】
従って、両者の合計から巻取ビームの実際の撓みは、０．０４３−０．０３９＝０．００４ｃｍとなる。
即ち、２点支持で生じる巻取ビームの中央部での撓みは０．０４３ｃｍであるが、同ビームの両端に外部より荷重Ｆをかけることによりビームの中央部に逆の撓みを−０．０３９ｃｍ発生させることによりビームの中央部の最大の撓みを０．００４ｃｍとすることができる。
この最大撓みは両端にかける荷重Ｆを増減することによりビームの中央部での撓みを変化させることが可能であり、巻取ビームに巻取アーム及び巻取ロールの重量が加わっても適切な荷重Ｆをかけることができる。
【００１７】
かくして２点支持装置の外側において夫々重力側に強制的に荷重をかけることにより巻取ビームの撓みを大幅に減少させることができ、ウエブの広巾化に伴う巻取ビームの長さに対応することが可能となる。
【００１８】
【発明の効果】
本発明は以上のようにスリッター装置本体左右の引取フレームに巻取ビームを２点支持車輪で支持して引取フレームに沿ってウエブの巻取りに応じて移動可能に懸垂保持し、かつ該巻取ビームにウエブを巻取る巻取ロールを保持する巻取アームを一体的に懸垂させると共に、前記引取フレームの２点支持車輪の各支持部外側に夫々巻取ビーム中央部の撓みを減ずる方向に荷重をかける両端荷重車輪を設けたスリッター装置であり、２点支持だけである場合には巻取ビームに懸垂している巻取装置の重量，巻取ロール製品等の全重量がかかり、重力による撓みが生じるが、両端部に逆方向への荷重がかけられているため撓みは大幅に減少する。
これは近時、広巾化しつつあるウエブのスリッター装置において、頗る有効であり、巻取ビームの断面形状を大きくしたり、機械幅を大きくすることなく、充分、広巾ウエブに適合することができ、広巾ウエブに対応する適当な機械の大きさを維持しながら低コストでの機械操作を可能ならしめ、現下の厳しい顧客要求に応ずる顕著な効果を奏する。
【図面の簡単な説明】
【図１】懸垂型スリッター装置の概要を示す全体図である。
【図２】本発明の要部に係る巻取ビーム支持部の概要であり、（イ）は正面図、（ロ）は側面図である。
【図３】本発明に係る支持構造と従前の２点支持構造との対比説明図であり、（イ），（ロ）は従前の２点支持構造の場合、（ハ），（ニ）は本発明に係る支持構造の場合である。
【符号の説明】
ｗ  広巾ウエブ
ｗ′  狭巾ウエブ
Ｒ′  巻取ロール
１  引取フレーム
２  巻取アーム
３  移動体
４  巻取ビーム
１１  ２点支持車輪
１３  両端荷重車輪
【図１】
0004409125.tif 000004
【図２】
0004409125.tif 000005
【図３】
0004409125.tif 000006